(57)【要約】【課題】本発明は、上述の問題を鑑み、レーザ医療において、施術を安全に行うとともに、出血した場合にも止血することができるレーザチップ、レーザ治療装置、及びレーザ治療システムを提供することを目的とする。【解決手段】レーザチップ７０は、中空導波路６３の先端に備えられた、レーザ光５７ａを照射するレーザ照射口６３ａに装着されるように、レーザ照射口６３ａに着脱自在なレーザ伝送路装着部７１と、生体組織と当接する当接部７２と、レーザ伝送路装着部７１に対してレーザ照射口６３ａから照射されるレーザ光５７ａの照射方向前方において開放空間Ｓを隔てて配置され、当接部７２の一部とレーザ伝送路装着部７１とを連結する連結部７３とで構成され、当接部７２の後方には、レーザ照射口６３ａから前方に向けて照射されるレーザ光５７ａを連結部７３に向けて反射させる反射面７２ｂが備えられたことを特徴とする。【選択図】図３
2018187213.tif 000002
【特許請求の範囲】
【請求項１】
レーザ伝送路の先端に備えられた、レーザ光を照射するレーザ照射口に装着するレーザチップであって、
前記レーザ照射口に着脱自在な装着部と、
生体組織と当接する当接部と、
前記装着部に対して、前記レーザ照射口から照射される前記レーザ光の照射方向前方において開放空間を隔てて配置され、前記当接部と前記装着部とを連結する連結部とで構成され、
前記当接部の後部には、前記レーザ照射口から前方に向けて照射される前記レーザ光を前記連結部に向けて反射させる反射部が備えられた
レーザチップ。
【請求項２】
前記反射部は、
前記連結部に対して鋭角を形成する反射面で構成された
請求項１記載のレーザチップ。
【請求項３】
前記当接部の前方に、曲率半径が１０ｍｍ以上の曲面で形成された、又は、平坦面で形成された当接面が設けられた
請求項１又は請求項２に記載のレーザチップ。
【請求項４】
前記連結部は、
前記レーザ照射口から照射される前記レーザ光の光軸に向けて突出する、前記光軸から視た断面形状が凸状に形成された突出部が設けられた
請求項１乃至請求項３のうちのいずれかに記載のレーザチップ。
【請求項５】
前記突出部の前記断面形状は、前記光軸側が鋭角となる三角形状で構成された
請求項４に記載のレーザチップ。
【請求項６】
前記反射部は、表面が前記レーザ光の反射を低下させるコーティングが施された請求項１乃至請求項５のうちのいずれかに記載のレーザチップ。
【請求項７】
前記当接部が、生体組織との固着を防止する固着防止用コーティングが施された請求項１乃至請求項６のうちのいずれかに記載のレーザチップ。
【請求項８】
レーザ光を施術対象部位へ導くレーザ伝送路と、
請求項１乃至請求項７のうちのいずれかに記載のレーザチップとが備えられた
レーザ処置具。
【請求項９】
炭酸ガスレーザ光を発振するレーザ発振器と、
前記レーザ発振器より発振されたレーザ光を施術対象部位へ導くレーザ伝送路と、
請求項１乃至７のうちのいずれかに記載のレーザチップとが備えられた
レーザ治療装置。
【請求項１０】
請求項８に記載のレーザ治療装置と、
前記レーザ伝送路を挿通可能とした内視鏡とで構成された
レーザ治療システム。
【発明の詳細な説明】
【技術分野】
【０００１】
本発明は、例えばレーザ伝送路の先端に装着するレーザチップ、前記レーザチップを装着したレーザ処置具、レーザ治療装置、及びレーザ治療システムに関する。
【背景技術】
【０００２】
近年、開腹手術や歯科治療などの分野において、電気メスやレーザ光を利用したレーザ治療器を用いて施術されることがあり、またこれらの治療器を用いた低侵襲医療の開発が進んでいる。例えば低侵襲医療として内視鏡を用いた外科的あるいは内科的治療が行われている。特に初期消化管がんを対象とする内視鏡的粘膜下層剥離術（Endoscopic Submucosal DissectionであってＥＳＤと略する。）は、患者への負担が少ない有効な治療方法として注目されている。
【０００３】
例えば、上記のＥＳＤでは、まず施術対象となる患部周辺をマーキングし、これを目印として粘膜層を切開する。次に粘膜下層の組織を剥離し、腫瘍部分の全組織を除去するものである。これらのマーキング、粘膜切開、粘膜下層剥離の各施術は、処置具として高周波電気メスが一般に使用されるが、粘膜下層には血管も存在しているため施術中に出血する可能性がある。また、大腸など特に組織壁の薄い部位の施術には、粘膜下層の外側にある筋層まで穿孔し合併症を引き起こすなど、ＥＳＤの施術者は高度な手技が求められる。
【０００４】
この高周波電気メスに代わる処置具として、生体組織の切開、止血、凝固及び蒸散に有効なレーザ光を利用した施術法が開発されている。特に炭酸ガスレーザ光は、生体組織や水に対する吸収率が非常に大きく、レーザ光が組織深部まで侵入せず、深部の正常組織に損傷を与えることなく、レーザ光が照射される表層部より順次切開することができるため、従来の高周波電気メスによる施術法と比較すると、過度の熱損傷を抑えて微小領域での施術ができる。
【０００５】
このような状況において、施術中にエネルギー源を変更することなく、レーザのみで止血を含む全ての施術を可能とするレーザ医療機器の開発が進められており、レーザ照射口に取り付ける様々なレーザチップが提案されている。例えば、特許文献１には、レーザ照射口の先端に照射されたレーザ光を吸収する先端部を設けた複数のレーザチップが開示されている。
【０００６】
これらのレーザチップは、前記先端部の形状がテーパー状や先端平面状、先端曲面状など様々な形状で形成されており、それぞれ切開や止血など、目的に合わせ適当な形状のチップが選択することができる。具体的には、前記レーザチップにレーザ光を照射することにより発熱させた前記レーザチップを対象切開部位の周辺に当接させることで、血液を凝固させて止血することができるとされている。
【０００７】
しかしながら、特許文献１に開示されているレーザチップの前記先端部は、前記レーザ照射口から照射されたレーザ光を吸光するといえども、入射されたレーザ光の一部が前記先端部によって反射され、施術対象ではない正常組織を予期せず照射するおそれがあった。
【先行技術文献】
【特許文献】
【０００８】
【特許文献１】特開平６−２０５７８９号公報
【発明の概要】
【発明が解決しようとする課題】
【０００９】
そこで本発明は、上述の問題を鑑み、レーザ医療において、施術を安全に行うとともに、出血した場合にも止血することができるレーザチップ、レーザ治療装置、及びレーザ治療システムを提供することを目的とする。
【課題を解決するための手段】
【００１０】
この発明は、レーザ伝送路の先端に備えられた、レーザ光を照射するレーザ照射口に装着するレーザチップであって、前記レーザ照射口に着脱自在な装着部と、生体組織と当接する当接部と、前記装着部に対して、前記レーザ照射口から照射される前記レーザ光の照射方向前方において開放空間を隔てて配置され、前記当接部と前記装着部とを連結する連結部とで構成され、前記当接部の後部には、前記レーザ照射口から前方に向けて照射される前記レーザ光を前記連結部に向けて反射させる反射部が備えられたことを特徴とする。  
またこの発明は、レーザ光を施術対象部位へ導くレーザ伝送路と、上述のレーザチップとが備えられたレーザ処置具であることを特徴とする。
【００１１】
またこの発明は、炭酸ガスレーザ光を発振するレーザ発振器と、前記レーザ発振器より発振されたレーザ光を施術対象部位へ導くレーザ伝送路と、上述のレーザチップとが備えられたレーザ治療装置であることを特徴とする。
【００１２】
さらにまたこの発明は、上述のレーザ治療装置と、前記レーザ伝送路を挿通可能とした内視鏡とで構成されたレーザ治療システムであることを特徴とする。  
前記レーザ医療は、特定のレーザ治療に限定せず、ＥＳＤなどの軟性内視鏡を用いたレーザ治療や硬性内視鏡を用いた外科的な治療、あるいは開腹手術や歯科治療などのレーザ治療を含む。
【００１３】
上述の前記装着部に対して、前記レーザ照射口から照射される前記レーザ光の照射方向前方において開放空間を隔てて配置されとは、前記装着部と前記当接部との間に形成される空間を閉じるように連結するのではなく、前記直交方向において外部に開いた開放空間を形成するように前記装着部と前記当接部とを連結することをさす。
【００１４】
前記反射部は、前記レーザ光を前記連結部に向けて反射できればどのような構成でもよく、例えば平面状や凹状の反射部、複数の反射部の組み合わせ、プリズムなどを利用し屈折させた前記レーザ光を前記連結部に向けて反射させる構成などを含む。
【００１５】
この発明により、レーザ医療において、施術を安全に行うとともに、出血した場合にも止血することができる。  
詳述すると、前記反射部は、前記レーザ照射口から照射される前記レーザ光を前記連結部に向けて反射させるため、反射された前記レーザ光が施術対象ではない正常組織に対して照射されることを防止でき、正常な生体組織が損傷されることを防止できる。
【００１６】
また、前記当接部に前記レーザ光が照射されることにより、前記当接部がレーザ光のエネルギーを吸収して加熱されることとなる。このように加熱された前記当接部を例えば出血している損傷部位に当接させることにより、損傷部位を止血できる。
【００１７】
さらにまた、前記連結部が、前記当接部の一部と前記装着部とを連結する構成とすることで、前記当接部と前記装着部との間には前記直交方向に対して開いた前記開放空間が形成される。これにより、線維化した切断しにくい組織などを前記開放空間に配置されるように保持して、前記レーザ光を照射することができ、前記組織を確実に切断することができる。
【００１８】
加えて、前記レーザ光を吸収可能な前記当接部をレーザ照射口の前方に設けることにより、レーザ光が前方に照射されることを防止する、いわゆるバックストップの機能を備えることができ、特に薄い組織壁を有する組織周辺を剥離する場合であっても正常組織を穿孔するリスクがなく施術できる。
【００１９】
このように、この発明は、出血部位を止血することができ、また前記レーザ光の反射光が照射されることにより正常組織が損傷したり、前記レーザ光によって穿孔したりすることを防止することができるため安全に施術することができる。  
なお、前記レーザ光は必ずしも炭酸ガスレーザである必要はなく、本発明は他のレーザ光を用いたレーザ治療にも用いることができる。
【００２０】
この発明の態様として、前記反射部は、前記連結部に対して鋭角を形成する反射面で構成してもよい。  
上述の前記連結部に対して鋭角を形成するとは、前記反射面と前記連結部とが鋭角を形成することをさしており、前記反射面を備えた前記反射部と前記連結部との接続部分が必ずしも鋭角である必要はない。すなわち、前記反射面と前記連結部とが鋭角に形成されていれば、前記反射部と前記連結部との接続部分が鋭角に形成されている場合や、円弧状に形成されている場合なども含む。
【００２１】
この発明により、前記反射面に反射されたレーザ光を、前記連結部に確実に反射させることができ、前記反射光が施術対象ではない正常組織に予期せず照射されることを防止できる。またこの反射光は、レーザ吸光部を保持する連結部側に照射されるのでレーザチップを加熱することに寄与し、レーザエネルギーを効率よく利用することができる。
【００２２】
また、前記反射面と前記連結部とが鋭角に形成されているため、前記開放空間に配置されるように生体組織を保持した場合に、生体組織を前記反射面と前記連結部が形成する窪みに引掛けることができる。これにより、前記生体組織を確実に保持できるため、前記レーザ光を安定して確実に照射して前記生体組織を切断できる。さらにまた、細い血管を確実に切断することができるため、処置具先端を横方向、あるいは手前方向に移動させながらレーザ光を照射することによって、特に線維化した組織など切断されにくい組織においても容易に切開、剥離が可能である。また対象組織を保持しながら処置具先端を手前方向に移動することにより、穿孔させてはならない筋層との距離を確保できるので、より繊細な手技が可能で安全性が高い。
【００２３】
この発明の態様として、前記当接部の前方に、曲率半径が１０ｍｍ以上の曲面で形成された、又は、平坦面で形成された当接面が設けられてもよい。  
上述の曲面とは、具体的には、先端側に向けて突出した凸状の曲面や、前記レーザ照射口側に凹状となる曲面をさす。
【００２４】
この発明により、損傷領域を広げることがなく確実に止血することができる。  
詳述すると、例えば、前記当接部の曲率半径が＋１０ｍｍ以上である場合や前記当接部が平坦である場合、すなわち前記当接部が凸状の曲面で形成されている場合や前記当接部が平坦である場合、前記当接部を前記損傷部位に直接押し当ててレーザ光を前記当接部に照射することができる。これにより前記レーザ光のエネルギーを吸収して加熱された前記当接部が当接された前記損傷部位及びその周辺の血液を凝固させて、前記損傷部位を確実に止血できる。
【００２５】
一方で、前記当接部の曲率半径が−１０ｍｍ以上である場合、すなわち前記当接部が凹状の曲面で形成されている場合、前記当接部を前記損傷部位に押し付けることで前記損傷部位から出た血液を前記凹部に溜めることができ、レーザ光を照射することにより加熱された前記当接部で前記凹部に溜められた血液を凝固して前記損傷部位を止血できる。  
このように、曲率半径が異なる前記当接部を用いた止血は、止血の作用が異なるため、出血箇所の部位や出血状況に応じて曲率半径が異なる曲面又は平坦面の前記当接部を使い分けることができる。
【００２６】
この発明の態様として、前記連結部は、前記レーザ照射口から照射される前記レーザ光の光軸に向けて突出する、前記光軸から視た断面形状が凸状に形成された突出部を設けられてもよい。  
この発明により、前記開放空間に位置するように前記当接部と前記連結部とで保持された前記生体組織に前記レーザ光を確実に照射できる。
【００２７】
詳述すると、前記突出部を設けていない場合、前記生体組織を前記開放空間に位置するように前記当接部と前記連結部とで保持したとしても、前記レーザ光が照射される位置を所定の位置に調整することが困難であった。しかしながら、前記レーザ光の光軸に向けて突出する前記突出部を設けることにより前記開放空間において前記生体組織を前記突出部や前記突出部に配置することができる。  
これにより、前記生体組織の所定の位置に前記レーザ光を照射することができ、所望の位置で前記生体組織を切断することができる。
【００２８】
この発明の態様として、前記突出部の前記断面形状は、前記光軸側が鋭角となる三角形状で構成されてもよい。  
この発明によると、前記突出部が鋭角状に形成されているため、前記開放空間に保持された前記生体組織を切断することを前記突出部により補助することができる。
【００２９】
この発明の態様として、前記反射部は、表面が前記レーザ光の反射を低下させるコーティングを施してもよい。  
この発明により、前記当接部が吸収する前記レーザ光のエネルギーを増大させることができるため、前記当接部を効率よく加熱することができる。これにより、前記当接部を生体組織内において出血している損傷部位に当接させた場合に、確実に止血することができる。
【００３０】
この発明の態様として、前記当接部が、生体組織との固着を防止する固着防止用コーティングを施してもよい。  
前記固着防止用コーティングは、生体組織との固着をしなければどのようなコーティングであってもよく、例えば炭化チタン（ＴｉＣ）や、窒化チタン（ＴｉＮ）、炭化ケイ素（ＳｉＣ）、窒化ケイ素、窒化ホウ素（ＢＮ）などを含む。
【００３１】
この発明により、前記生体組織に対して当接させた前記当接部が前記生体組織と固着することを防止できるため、前記当接部を止血した損傷部位から離した場合に前記損傷部位などの損傷を防止できる。
【発明の効果】
【００３２】
この発明により、レーザ医療において、施術を安全に行うとともに、出血した場合にも止血することができるレーザチップ、レーザ治療装置、及びレーザ治療システムを提供することができる。
【図面の簡単な説明】
【００３３】
【図１】内視鏡装置とレーザ治療装置による治療システムの概略構成図。
【図２】内視鏡装置とレーザ治療装置の構成を示すブロック図。
【図３】中空導波路の先端に装着したレーザチップの概略斜視図。
【図４】中空導波路の先端及びレーザチップの概略分解斜視図。
【図５】中空導波路に装着したレーザチップの説明図。
【図６】治療システムを用いた止血の説明図。
【図７】レーザチップを用いて生体組織を切断の説明図。
【図８】レーザチップの別の実施形態の説明図。
【図９】レーザチップの別の実施形態の説明図。
【発明を実施するための形態】
【００３４】
この発明の一実施形態を以下図面と共に説明する。  
図１は、内視鏡装置１０とレーザ治療装置５０とで構成される治療システム１の概略構成を示す構成図であり、図２は、内視鏡装置１０とレーザ治療装置５０の構成を示すブロック図である。
【００３５】
内視鏡装置１０は、図１に示すように装置本体に対して接続ケーブル１１により術者操作ユニット１２が接続されている。  
術者操作ユニット１２は、主に操作部１３と内視鏡チューブ２１とで構成されている。  
【００３６】
操作部１３は、接眼部１５、上下アングルノブ１６、左右アングルノブ１７、操作ボタン１８、及びデバイス挿入口２０等が設けられている。  
操作ボタン１８は、送気、送水、吸引、ズームなどの操作入力を受け付ける。
【００３７】
内視鏡チューブ２１は、基部から先端へ向かって可撓管部２２、湾曲管部２３、及び先端構成部３０がこの順に設けられている。また、内視鏡チューブ２１の内部には、デバイス挿入口２０から先端構成部３０のデバイス出口３６まで連通するデバイス挿入路１９が設けられている。このデバイス挿入路１９は、鉗子やレーザ伝送路６０といった治療用デバイスを挿入する治療用デバイス挿入路として機能する。
【００３８】
なお、図１では可撓管部２２の途中から湾曲管部２３の先端にかけて拡径しているように図示しているが、これは先端構成部３０の構成を分かり易く描画するためであって、実際には、食道、胃、腸といった生体内に挿通させるのに適した、一定の径を保った形状となっている。
【００３９】
可撓管部２２は、適度に湾曲する円筒形状を有しており、デバイス挿入口２０から適宜の鉗子などの治療用デバイスを先端構成部３０まで挿通できる。この実施例では、治療用デバイスとしてレーザ治療装置５０のレーザチップ７０を先端に組み付けたレーザ伝送路６０が挿通されている。  
湾曲管部２３は、上下アングルノブ１６の操作によって上下方向に湾曲操作され、左右アングルノブ１７によって左右方向に湾曲操作される。
【００４０】
先端構成部３０は、ライトガイド３１，３５、副送水口３２、レンズ３３、ノズル３４、及びデバイス出口３６が設けられている。  
ライトガイド３１，３５は、撮像のための照明となる光を照射する照明部位である。これにより、光の届かない体内を照らして観察及び施術できるようにする。
【００４１】
副送水口３２は、染色液等の液体を放出する送水口である。  
レンズ３３は、ライトガイド３１，３５等の照明による光を集光し、撮像画像を取得するためのレンズ及びその後方に配置された撮像素子である。
【００４２】
ノズル３４は、レンズ３３を洗浄するための洗浄液等をレンズ３３へ向かって放出する部位である。  
デバイス出口３６は、レーザ治療装置５０のレーザ伝送路６０等の治療用デバイスの出口である。このレーザ伝送路６０は、内視鏡チューブ２１の全長でもあるデバイス挿入路長よりも長く形成されている。なお、レーザ伝送路６０の詳細については後述する。
【００４３】
図２に示すように、レーザ治療装置５０は、操作部・表示部５１、電源部５２、中央制御部５４、ガイド光発光部５６、及びレーザ発振部５７を備えている。  
操作部・表示部５１は、レーザの出力設定や動作モードの変更などの操作入力を受け付けて入力信号を中央制御部５４に伝達し、中央制御部５４からレーザの出力条件や装置の動作状況などの表示信号を受け取って適宜の情報の表示を行う。  
電源部５２は、中央制御部５４など各部に動作電力を供給する。
【００４４】
中央制御部５４は、各部に対して各種制御動作を実行する。この中央制御部５４は、レーザ出力制御部５４ａと記憶部５４ｂも有している。  
レーザ出力制御部５４ａは、操作部・表示部５１で設定された出力や動作モードに応じてレーザ発振部５７によるレーザ光５７ａの出力値を制御する。記憶部５４ｂは、出力の設定や動作モードの設定内容などの制御データなどの他に適宜のデータを記憶している。
【００４５】
ガイド光発光部５６は、治療用のレーザ光５７ａが照射される位置を示すためのガイド光を発光する。このガイド光は、治療用のレーザ光５７ａが照射される位置を確認することができる。
【００４６】
レーザ発振部５７は、施術に用いるレーザ光５７ａの発振を実行する。この実施例では、レーザ光５７ａとして、炭酸ガスレーザを用いる。炭酸ガスレーザの照射強度の設定や照射の開始停止といった操作は、操作部・表示部５１による手動操作と、中央制御部５４による制御出力によって行われる。なお、手動操作の一部又は全部を、レーザ治療装置５０に対して通信・制御可能に設けたフートコントローラ（不図示）を用いた足踏み操作に替えることもできる。  
上述したガイド光発光部５６が照射するガイド光５６ａ、及びレーザ発振部５７が発振するレーザ光５７ａは、全て１つのレーザ伝送路６０によって伝送される。
【００４７】
内視鏡装置１０は、操作部４１、電源部４２、中央制御部４３、照明部４４、撮像部４５、水噴射部４６、及び画像表示部４７が設けられている。  
操作部４１は、操作部１３（図１参照）による操作入力を中央制御部４３に伝達する。すなわち、上下アングルノブ１６や左右アングルノブ１７の操作による湾曲管部２３の湾曲動作、操作ボタン１８による押下操作などを伝達する。またあるいは、術者操作ユニット１２のものとは別個に、例えば内視鏡装置の制御器本体（不図示）に操作部を設け、照明の光量、静止画の撮影記憶等の操作を中央制御部４３に伝達する。
【００４８】
電源部４２は、中央制御部４３など各部に動作電力を供給し、中央制御部４３は、各部に対して各種制御動作を実行する。  
照明部４４は、ライトガイド３１，３５（図１参照）からの照明を実行する。
【００４９】
撮像部４５は、レンズ３３及びその後ろに配置される撮像素子（図１参照）から伝送される画像を撮像し、施術に必要な撮像画像を得たり、画像処理をしたりする。この撮像画像を連続してリアルタイムに取得することで、術者が円滑に施術を行えるようにしている。
【００５０】
水噴射部４６は、副送水口３２からの液体の噴射を実行する。また、ノズル３４からの液体の噴射も実行する。撮像部４５が、先端構成部３０の近傍に設けてあってもよいし、内視鏡装置１０の制御器本体（不図示）内に設けてあってもよいのは、前述のとおりである。
【００５１】
画像表示部４７は、中央制御部４３から伝達される信号に従って画像を表示する。この画像には、撮像部４５で取得した撮像画像も含まれる。したがって、術者は、この画像表示部４７にリアルタイムに表示される撮像画像を確認しながら施術を行うことができる。
【００５２】
次に、図３乃至図５に基づいて、レーザ伝送路６０の構造及びレーザ伝送路６０の先端に装着するレーザチップ７０の構造について説明する。  
図３はレーザ伝送路６０の先端の拡大斜視図を示し、より具体的にはレーザ伝送路６０の先端に装着したレーザチップ７０の概略斜視図を示し、図４はレーザ伝送路６０及びレーザチップ７０の概略分解斜視図を示し、図５はレーザ伝送路６０に装着したレーザチップ７０の説明図を示す。なお、図３及び図４において、レーザ伝送路６０を構成するレーザ用チューブ６１の一部は点線で示すことで、透過状態を表す。
【００５３】
図５について詳述すると、図５（ａ）はレーザチップ７０を装着したレーザ伝送路６０の側面図を示し、図５（ｂ）は図４中のＡ−Ａ断面図、すなわちレーザ伝送路６０からレーザチップ７０を取り外した状態における縦断面図を示し、図５（ｃ）は図５（ａ）中のＢ−Ｂ断面図を示す。
【００５４】
レーザ伝送路６０は、図３及び図４に示すように、レーザ用チューブ６１と、レーザ用チューブ６１の先端に設けられたレーザチップ側装着部６２と、レーザ用チューブ６１の内部に挿通された中空導波路６３とで構成し、上述したように、内視鏡チューブ２１より長く形成している。
【００５５】
レーザ用チューブ６１は、内部に中空導波路６３を挿通させる挿通空間６１ａ（図５参照）を有する中空状で可撓性のある樹脂チューブであり、図３及び図４に示すように、外周面には内視鏡チューブ２１のデバイス挿入路１９の内径よりわずかに小さい外径を有する複数の外周凸部６１ｂと、隣り合う外周凸部６１ｂ同士の間において、外周凸部６１ｂより凹状である外周凹部６１ｃとを、周方向に並列配置しており、レーザ光５７ａの照射方向に対応する光軸方向Ｄから視た断面において略歯車状に形成している。
【００５６】
このように構成されたレーザ用チューブ６１は、デバイス挿入路１９に挿通した際に外周凸部６１ｂがデバイス挿入路１９に当接してしっかりと固定されるとともに、内視鏡チューブ２１の曲げに応じて柔軟に曲げることができる。
【００５７】
レーザチップ側装着部６２は図４及び図５（ａ）に示すように、伝送路側装着部６２ａと、チューブ連結部６２ｂと、レーザチップ装着部６２ｃが後方から並んで配列された構成である。  
伝送路側装着部６２ａは、図５（ａ）に示すように、レーザ用チューブ６１の内径と略同一の外径を有するとともに、後述する中空導波路６３の外径よりも一回り大きな内径を有する筒状体で形成されており、中空導波路６３を挿通することができるとともに、伝送路側装着部６２ａを挿通空間６１ａに挿入することでレーザチップ側装着部６２をレーザ用チューブ６１に嵌合できる。
【００５８】
チューブ連結部６２ｂは、伝送路側装着部６２ａの先端に設けられた筒状体であり、デバイス挿入路１９の内径よりわずかに小さい外径を有するとともに、中空導波路６３の外径と略同一の内径を有しており、レーザチップ側装着部６２がレーザ用チューブ６１に装着された状態において、レーザ用チューブ６１とレーザチップ側装着部６２との外周面が面一となるとともに、後述するレーザ照射口６３ａをレーザ用チューブ６１の中央部分に固定することができる。
【００５９】
レーザチップ装着部６２ｃは、チューブ連結部６２ｂの先端から前方に延びるように設けられた、伝送路側装着部６２ａと略同一の外径を有する筒状体であり、外周面には光軸方向Ｄに沿ったネジ山６２ｄが設けられている。
【００６０】
挿通空間６１ａに挿通される中空導波路６３は、内部中空の円筒形の筒状体の内面全周を誘電体薄膜（図示省略）で被覆した筒状体であり、先端にレーザ光５７ａを照射するレーザ照射口６３ａが設けられている。
【００６１】
この中空導波路６３を構成する筒状体は、ガラス管など表面が円滑で、銀などの反射膜及び誘電体薄膜の形成に適した素材により長尺状に形成され、誘電体薄膜は、ＣＯＰ（環状オレフィンポリマー）やポリイミドなど、レーザ光を効率よく反射伝送する適宜の素材で形成している。  
このように、中空導波路６３の内周面を銀などの反射膜及び誘電体薄膜で被覆しているため、中空導波路６３の内部を導通するレーザ光５７ａを高い伝送効率で導通することができる。
【００６２】
レーザ伝送路６０に装着させるレーザチップ７０は、ステンレス製のレーザチップで、図３乃至図５に示すように、レーザ伝送路６０と着脱可能なレーザ伝送路装着部７１と、レーザ伝送路装着部７１と所定の間隔を隔てて前方に配置された当接部７２と、レーザ伝送路装着部７１と当接部７２とを連結する連結部７３とで一体に構成されている。
【００６３】
装着部に対応するレーザ伝送路装着部７１は、チューブ連結部６２ｂの外形と略同一の外径を有するとともに、後述する伝送路側装着部６２ａの内径と略同一の内径を有する筒状体で形成されており、レーザ伝送路装着部７１の後端側の内周面にはネジ山６２ｄと螺合可能なネジ溝７１ａが形成されている（図５（ｂ）参照）。
【００６４】
レーザチップ７０の先端部に設けられた当接部７２は、レーザチップ装着部６２ｃの内径と略同一の外径を有する、すなわちレーザ伝送路装着部７１よりも一回り小さい中実の略円柱形であり、先端には生体組織と当接する当接面７２ａが備えられ、後端側にはレーザ照射口６３ａから照射されたレーザ光５７ａを反射する反射面７２ｂが備えられている（図６（a）参照）。
【００６５】
当接面７２ａは、光軸方向Ｄに直交する断面に沿った円形状の平面で、中心にレーザ光５７ａが照射されるように形成されている。また、その表面には生体組織との固着を防止するために、炭化チタン（ＴｉＣ）によるコーティングが施されている。
【００６６】
反射面７２ｂは、当接部７２のレーザ照射口６３ａ側に設けられた反射面であり、図５（ａ）に示すように、後述する連結部７３に対して面が向くように、光軸方向Ｄに対して鋭角に設けられている。なお、反射面７２ｂには、レーザ光５７ａの反射を低下させるコーティング部材によるコーティングが施されている。換言すると、連結部７３はレーザ光５７ａのエネルギーを吸収するコーティング部材によるコーティングが施されている。
【００６７】
所定の間隔を隔てて配置されたレーザ伝送路装着部７１と当接部７２とを連結する連結部７３は、図３乃至図５に示すように、レーザ伝送路装着部７１と当接部７２の下方側の一部分を光軸方向Ｄに沿って連結している。この連結部７３と反射面７２ｂとで形成する角度θは４５度となるように、設計されている。
【００６８】
なお、本実施形態では連結部７３と反射面７２ｂとが形成する角度を４５度としているが、必ずしもこの角度に限定されるものではなく、鋭角であればどのような角度であってもよい。
【００６９】
また、連結部７３の内側上面には、レーザ光５７ａが形成する光軸に向けて突出する突出部７４が形成されている。この突出部７４は、図５（ｃ）に示すように、光軸方向Ｄから視た断面において光軸側が鋭角となる三角形状に突出して構成されている。
【００７０】
このように構成されたレーザチップ７０は、レーザチップ装着部６２ｃに対してレーザ伝送路装着部７１を螺合することで、レーザ伝送路６０に装着することができる。この状態で、レーザ治療装置５０を操作しレーザ光５７ａを発信することで、当接部７２に対してレーザ光５７ａを照射できる。
【００７１】
以下、レーザ伝送路６０にレーザチップ７０を装着した状態で、レーザ光５７ａを照射した場合、及びレーザチップ７０を用いた出血部位Ｅの止血及び生体組織の切断について図６及び図７に基づき説明する。
【００７２】
図６（ａ）は、レーザ伝送路６０にレーザチップ７０を装着した状態において照射されたレーザ光５７ａの行路を表す側面図を示し、図６（ｂ）は、当接面７２ａを出血部位Ｅに押し当てた状態を表す説明図を示す。
【００７３】
図６（ａ）に示すように、レーザ伝送路６０にレーザチップ７０を装着した状態において、レーザ照射口６３ａから照射されたレーザ光５７ａは、反射面７２ｂによって連結部７３に向けて反射される。
【００７４】
ここで、反射面７２ｂはレーザ光５７ａのエネルギーを吸収するコーティング部材によるコーティングが施されているため、レーザ光５７ａの照射を受けた当接部７２は効率よく加熱されることとなる。このように加熱された当接面７２ａを、図６（ｂ）に示すように、出血部位Ｅに当接することで血液Ｂを効率よく凝固させることができる。
【００７５】
また、反射面７２ｂにレーザ光５７ａのエネルギーを吸収するコーティング部材によるコーティングが施されていることで、連結部７３へ反射されるレーザ光５７ａの反射光のエネルギーが減らされるため、連結部７３に照射されたレーザ光５７ａの反射光がさらに反射して拡散したとしても、正常な生体組織を損傷させることがない。
【００７６】
またさらに、図３乃至図５に示すように、連結部７３は所定の間隔を隔てたレーザ伝送路装着部７１と当接部７２との一部分を連結する構成であるため、連結部７３の上方部分においてはレーザ伝送路装着部７１と当接部７２とを連結しておらず、外部と連通した開放空間Ｓが形成されている。
【００７７】
このような開放空間Ｓに生体組織、詳しくは剥離したい患部組織Ｔの近辺にある粘膜下層Ｌ２の組織を配置して切断する方法について、図７に基づいて簡単に説明する。  
図７は、レーザチップ７０を用いた粘膜下層Ｌ２の切断を表す説明図を示しており、詳述すると、図７（ａ）はレーザチップ７０を用いた粘膜下層Ｌ２の切断を表す概略斜視図を示し、図７（ｂ）は図７（ａ）の概略平面図を示す。
【００７８】
はじめに、粘膜層Ｌ１にできた、剥離した対象である患部組織Ｔを囲むように複数点レーザ光５７ａで照射して、切り取る範囲の目印（マーキングＭ）をつける。次に患部組織Ｔの下方側の粘膜下層Ｌ２にヒアルロン酸Ｈを注入し、患部組織Ｔを浮かせた状態にし、レーザ光５７ａを患部組織Ｔに沿って照射し粘膜層Ｌ１を切開する。以後、このレーザ光５７ａを照射して切開した線を切開線Ｉとする。  
このとき、切開線Ｉに沿って部分では粘膜層Ｌ１が切開されているが、切開線Ｉの内側（患部組織Ｔ側）は粘膜下層Ｌ２と繋がっている。
【００７９】
次に、レーザ伝送路６０をデバイス挿入口２０から抜いて、レーザ伝送路６０の先端にレーザチップ７０を装着し、再度デバイス挿入口２０にレーザ伝送路６０を挿入させる。そして、図７（ａ）及び図７（ｂ）に示すように、切開した切開線Ｉに沿って当接部７２を挿入させ、連結部７３ｂで切開線Ｉの内側でつながっている粘膜下層Ｌ２の組織を引掛けて引っ張りだし、粘膜下層Ｌ２の組織に張力をかけた状態でレーザ光５７ａを照射する。これにより、レーザ光５７ａが照射された粘膜下層Ｌ２の組織は切断されることとなる。
【００８０】
同様に、レーザチップ７０を切開線Ｉに沿って刈るように動かし、粘膜下層Ｌ２の組織を引掛けて引っ張りだし、粘膜下層Ｌ２の組織にテンションをかけた状態でレーザ光５７ａを照射する。このように、レーザチップ７０を切開線Ｉに沿って移動させながら粘膜下層Ｌ２の組織を切断することにより、患部組織Ｔを周辺の粘膜下層Ｌ２と切断することができ、患部組織Ｔを乖離できる。
【００８１】
このとき、レーザ照射口６３ａから照射されるレーザ光５７ａは、反射面７２ｂに照射されるため、過って粘膜下層Ｌ２や筋層Ｌ３に照射されることがなく、筋層Ｌ３を穿孔することを防止できる。
【００８２】
また、突出部７４を設けることにより、粘膜下層Ｌ２の組織をレーザ光５７ａが照射される位置に配置でき、確実な粘膜下層Ｌ２の組織を切断できる。また、突出部７４の光軸側が鋭角な三角形状で構成されているため、張力がかかった粘膜下層Ｌ２の組織をより切断しやすくできる。
【００８３】
ここで上述の例では、当接面７２ａが平坦面である場合を説明したが、当接面は必ずしも平坦面である必要はなく、例えば当接面が緩やかな凸面や凹面であってもよい。  
以下、当接面が緩やかな凸面で構成されたレーザチップ７０ｘ及び緩やかな凹面で構成されたレーザチップ７０ｙについて、図８及び図９に基づいて説明する。なお、以下で説明するレーザチップ７０ｘ，７０ｙの構成のうち、レーザチップ７０と同一の構成については同じ符号を付し、その説明を省略する。
【００８４】
図８は、当接面が緩やかな凸面である場合の説明図を示し、図９は当接面が緩やかな凹面である場合の説明図を示す。詳しくは、図８（ａ）は当接面が緩やかな凸面であるレーザチップ７０ｘの断面図を示し、図８（ｂ）はレーザチップ７０ｘを用いた出血部位Ｅの止血方法の概略断面図を示す。また、図９（ａ）は当接面が緩やかな凸面であるレーザチップ７０ｙの断面図を示し、図９（ｂ）はレーザチップ７０ｙを用いた出血部位Ｅの止血方法の概略断面図を示す。なお、出血部位Ｅは、粘膜層Ｌ１と筋層Ｌ３との間にある粘膜下層Ｌ２を走る血管とする。
【００８５】
レーザチップ７０ｘは、図８（ａ）に示すように、レーザチップ７０ｘの前方に形成される当接面は、前方に突出する曲率半径が１５ｍｍの緩やかな曲面の当接凸面７２ｘで構成されている。
【００８６】
このため、当接凸面７２ｘを出血部位Ｅに当接させた場合、生体組織が曲面に沿って変形し、出血部位Ｅと当接凸面７２ｘとの間に介在する血液量をより減らすことができ、血液Ｂを確実に凝固させて出血部位Ｅからの出血を止血できる（図８（ｂ）参照）。  
また、レーザチップ７０と異なりレーザチップ７０ｘは当接凸面７２ｘの端部に角部が形成されていないため、角部で出血部位Ｅ近辺の生体組織を損傷することを防止できる。
【００８７】
一方、レーザチップ７０ｙは、図９（ａ）に示すように、レーザチップ７０ｙの前方に形成される当接面は、後方に窪んだ曲率半径が１５ｍｍの緩やかな曲面の当接凹面７２ｙで構成されている。
【００８８】
このため、当接凹面７２ｙを出血部位Ｅに当接させた場合、当接凹面７２ｙと出血部位Ｅとの間に血液Ｂを溜めることができる。この溜めた血液Ｂを加熱した当接凹面７２ｙを当接させることで確実に凝固させることができ、出血部位Ｅを止血できる（図９（ｂ）参照）。
【００８９】
このように構成されたレーザチップ７０，７０ｘ，７０ｙは、中空導波路６３の先端に備えられた、レーザ光５７ａを照射するレーザ照射口６３ａに装着されるように、レーザ照射口６３ａに着脱自在なレーザ伝送路装着部７１と、生体組織と当接する当接部７２と、レーザ伝送路装着部７１に対してレーザ照射口６３ａから照射されるレーザ光５７ａの照射方向前方において開放空間Ｓを隔てて配置され、当接部７２の一部とレーザ伝送路装着部７１とを連結する連結部７３とで構成され、当接部７２の後方には、レーザ照射口６３ａから前方に向けて照射されるレーザ光５７ａを連結部７３に向けて反射させる反射面７２ｂが備えられることにより、レーザ医療において、施術を安全に行うとともに、出血した場合にも止血することができる。
【００９０】
詳述すると、反射面７２ｂは、レーザ照射口６３ａから照射されるレーザ光５７ａを連結部７３に向けて反射させるため、反射されたレーザ光５７ａが施術対象ではない正常組織に対して照射されることを防止でき、正常な生体組織が損傷されることを防止できる。
【００９１】
また、当接部７２にレーザ光５７ａが照射されることにより、当接部７２がレーザ光５７ａのエネルギーを吸収して加熱されることとなる。このように加熱された当接部７２を例えば出血している出血部位Ｅに当接させることにより、出血部位Ｅを止血できる。
【００９２】
さらにまた、連結部７３が、当接部７２の一部とレーザ伝送路装着部７１と開放空間Ｓを隔てて連結する構成であるため、当接部７２とレーザ伝送路装着部７１との間にはレーザ光照射方向に対して直交方向に対して開いた開放空間Ｓが形成される。これにより、線維化した切断しにくい粘膜下層Ｌ２を開放空間Ｓに配置されるように保持でき、保持した粘膜下層Ｌ２にレーザ光５７ａを照射することができ、組織を確実に切断することができる。
【００９３】
加えて、レーザ光５７ａを吸収可能な当接部７２をレーザ照射口６３ａの前方に設けることにより、レーザ光５７ａが前方に照射されることを防止する、いわゆるバックストップの機能を備えることができ、特に薄い組織壁を有する組織周辺（例えば大腸などの筋層Ｌ３）を剥離する場合であっても穿孔するリスクがなく施術できる。
【００９４】
このように、レーザチップ７０，７０ｘ，７０ｙは、出血部位Ｅを止血でき、またレーザ光５７ａの反射光が照射されることにより正常組織が損傷したり、レーザ光５７ａによって穿孔したりすることを防止することができるため安全に施術することができる。
【００９５】
また、反射面７２ｂを連結部７３に対して鋭角を形成することにより、反射面７２ｂに反射されたレーザ光５７ａを連結部７３に確実に反射させることができ、反射光を正常組織に予期せず照射されることを防止できる。
【００９６】
また、反射面７２ｂと連結部７３が鋭角に形成されているため、当接部７２とレーザ伝送路装着部７１とが形成する開放空間Ｓに配置されるように粘膜下層Ｌ２を保持する際に、粘膜下層Ｌ２の組織を反射面７２ｂに引掛けることができる。これにより、粘膜下層Ｌ２の組織が線維化した場合でも、安定かつ確実に保持でき、レーザ光５７ａを確実に照射させることができ、例えば筋層Ｌ３を穿孔させることなく患部組織Ｔを剥離できる。
【００９７】
また、組織剥離においては、レーザチップ７０，７０ｘ，７０ｙの先端部を組織内に挿入し、生体組織が反射面７２ｂと連結部７３及びレーザ出射端の空間に安定して保持される構造であり、処置具先端を横方向、あるいは手前方向に移動させながらレーザ光が照射されるので、特に線維化した組織など切断されにくい組織においても容易に切開、剥離が可能である。
【００９８】
さらにまた、当接部７２の前方に、曲率半径が１０ｍｍ以上の曲面で形成された当接凸面７２ｘ及び当接凹面７２ｙあるいは平坦な当接面７２ａが設けられることにより、損傷領域を広げることがなく確実に止血することができる。
【００９９】
詳述すると、例えば、当接部７２の前方に、曲率半径が＋１０ｍｍ以上である凸状の曲面である当接凸面７２ｘや平坦な当接面７２ａが形成されている場合、当接面７２ａや当接凸面７２ｘを出血部位Ｅに確実に押し当てて、レーザ光５７ａを当接部７２に照射することで、レーザ光５７ａのエネルギーを吸収して加熱された当接部７２の当接面７２ａや当接凸面７２ｘが当接された出血部位Ｅ及びその周辺の血液Ｂを凝固させて、出血部位Ｅを確実に止血できる。
【０１００】
一方で、曲率半径が−１０ｍｍ以上である凹状の曲面である当接凹面７２ｙが形成されている場合には、当接凹面７２ｙを出血部位Ｅに押し付けることで出血部位Ｅから出た血液Ｂを凹部に溜めることができ、レーザ光を照射することにより加熱された当接部７２で当接凹面７２ｙに溜められた血液Ｂを凝固して出血部位Ｅを止血できる。  
このように、前方の当接面の曲率半径が異なったり、平坦である当接部７２を用いた止血は、止血の作用が異なるため、出血箇所の部位や出血状況に応じて曲率半径が異なる曲面又は平坦面の当接部７２を使い分けることができる。
【０１０１】
また、連結部７３に、レーザ照射口６３ａから照射されるレーザ光５７ａの光軸に向けて突出する、光軸から視た断面形状が凸状に形成された突出部７４を設けているため、開放空間Ｓおける所定の位置に粘膜下層Ｌ２の組織を保持でき、粘膜下層Ｌ２の組織にレーザ光５７ａを確実に照射できる。
【０１０２】
詳述すると、突出部７４を設けていない連結部と当接部７２とで粘膜下層Ｌ２の組織を保持したとしても、レーザ光５７ａが照射される位置に粘膜下層Ｌ２の組織を配置することが困難であった。しかしながら、レーザ光５７ａの光軸に向けて突出する突出部７４を連結部７３に設けることにより粘膜下層Ｌ２の組織を突出部７４に配置することができる。これにより、生体組織の所望の位置にレーザ光５７ａを照射することができ、所望の位置で粘膜下層Ｌ２の組織を切断することができる。
【０１０３】
さらにまた、突出部７４の断面形状を、光軸側が鋭角に突出する三角形状で構成することにより、突出部７４が粘膜下層Ｌ２の組織を切断することを切断することを補助できる。
【０１０４】
また、反射面７２ｂは、表面にレーザ光５７ａの反射を低下させるコーティングが施されているため、当接部７２が吸収するレーザ光５７ａのエネルギーを増大させることができ、当接部７２を効率よく加熱することができる。これにより、当接部７２を生体組織内において出血している損傷部位に当接させた場合に、確実に止血することができる。
【０１０５】
さらにまた、当接部７２が、生体組織との固着を防止する固着防止用コーティングが施されているため、生体組織に対して当接させた当接面７２ａが生体組織と固着することを防止でき、当接面７２ａを止血した出血部位Ｅから離した場合に出血部位Ｅなどの損傷を防止できる。
【０１０６】
この発明の構成と、上述の実施形態との対応において、この発明の装着部は、レーザ伝送路装着部７１に対応し、
以下同様に、
反射部は、反射面７２ｂに対応し、
当接面は、当接面７２ａ、当接凸面７２ｘ、当接凹面７２ｙに対応し、
レーザ発振器は、レーザ発振部５７に対応し、
内視鏡は、内視鏡装置１０に対応するが、
この発明は、上述の実施形態の構成のみに限定されるものではなく、多くの実施の形態を得ることができる。
【０１０７】
例えば、本実施形態では、連結部７３は、レーザ伝送路装着部７１と当接部７２との下方を連結する構成であるが、装着部７１と当接部７２との間において開放空間Ｓが確保できれば、連結する部位は一部である必要はない。
【０１０８】
また、反射面７２ｂは、レーザ光５７ａを連結部７３に向けて反射できればどのような構成でもよく、例えば平面状や凹状の反射面７２ｂ、複数の反射面７２ｂの組み合わせ、プリズムなどを利用し屈折させたレーザ光５７ａを連結部７３に向けて反射させる構成でもよい。
【０１０９】
さらにまた、当接面７２ａに施された固着防止用コーティングは、生体組織との固着をしなければどのようなコーティングであってもよく、例えば窒化チタン（ＴｉＮ）、炭化ケイ素（ＳｉＣ）、窒化ケイ素、窒化ホウ素（ＢＮ）などであってもよい。
【０１１０】
また、本実施形態では炭酸ガスレーザを用いたレーザ発振器としているが、必ずしも炭酸ガスレーザである必要はなく、他のレーザ光を用いたレーザ治療にも用いることができる。
【０１１１】
また、本実施形態ではレーザ伝送路６０を中空導波路で構成しているが、必ずしも中空導波路である必要はなく、例えば中実型のファイバーなどで様々なレーザ伝送路を用いることができる。
【符号の説明】
【０１１２】
１      レーザ治療システム
１０    内視鏡
５０    レーザ治療装置
５７    レーザ発振部
５７ａ  レーザ光
６０    レーザ伝送路
６３    中空導波路
６３ａ  レーザ照射口
７０，７０ｘ，７０ｙ    レーザチップ              
７１    装着部
７２    当接部
７３    連結部
７２ｂ  反射面
７２ａ  当接面
７２ｘ  当接凸面
７２ｙ  当接凹面
７４    突出部
【図１】
2018187213.tif 000003
【図２】
2018187213.tif 000004
【図３】
2018187213.tif 000005
【図４】
2018187213.tif 000006
【図５】
2018187213.tif 000007
【図６】
2018187213.tif 000008
【図７】
2018187213.tif 000009
【図８】
2018187213.tif 000010
【図９】
2018187213.tif 000011